(57)【要約】【課題】蒸気配管系への取付け後においても、トラップ部のみをサーモスタチックタイプ又はサーモダイナミックタイプのいずれかに簡単に取り替えられる様にする。【解決手段】弁箱２の入口４に通ずる一次側流路６と出口５に通ずる二次側流路７の夫々を上下に分岐し、両流路６、７の下方分岐口6b、7bを弁箱２下部に設けたバイパス室17に連通すると共に、該バイパス室17には各下方分岐口6b、7bを同時に開閉するブラインド弁14を弁箱２軸心を中心に回転自在に設け、弁箱２上部には、上端部中心に弁座口19を開設した二次側流路７との二次側連通路20を穿孔形成すると共に、弁座口19の周囲に凹設した外輪溝21と一次側流路６との一次側連通路22を穿孔形成し、ブラインド弁14と連動して回転操作される回転盤13を設け、該回転盤13には、サーモスタチックトラップ3a、又は、サーモダイナミックトラップ3bのいずれかのトラップ部３を相互に取り替え自在に取付ける。【選択図】図１
2010286081.tif 000002
【特許請求の範囲】
【請求項１】
弁箱の入口に通ずる一次側流路と出口に通ずる二次側流路の夫々を上下に分岐し、両流路の下方分岐口を弁箱下部に設けたバイパス室に連通すると共に、該バイパス室には各下方分岐口を同時に開閉するブラインド弁を弁箱軸心を中心に回転自在に設け、弁箱上部には、上端部中心に弁座口を開設した二次側流路との二次側連通路を穿孔形成すると共に、弁座口の周囲に凹設した外輪溝と一次側流路との一次側連通路を穿孔形成し、ブラインド弁と連動して回転操作される回転盤を設け、該回転盤には、これの上端部を密封する蓋体に揮発性液体を封入したベローズの上端を固定し、下端に弁座口を開閉する弁体を突設して成るサーモスタチックトラップ、又は、回転盤の上端部を弁座ブロックの下端で密封し、該弁座ブロックの水平な上端面の中心に開設した流入口と前記外輪溝とを連通すると共に、前記上端面に流入口を中心に凹設した環状溝と前記弁座口とを連通し、前記上端面に流入口と環状溝を同時に開閉可能なディスク弁体を着離自在に配置すると共に、該ディスク弁体の収容空間をトラップ室として内部に形成した蓋体で弁座ブロック上部を被冠して成るサーモダイナミックトラップのいずれかのトラップ部を相互に取り替え自在に取付けたことを特徴とするスチームトラップ。
【請求項２】
弁箱にテスト用出口を開設すると共に、該テスト用出口に通ずるテスト用連通路を回転盤の二次側連通路に接続可能に穿孔形成し、回転盤には外輪溝と一次側流路とを連通するテスト用流入路を穿孔形成したことを特徴とする請求項１記載のスチームトラップ。
【発明の詳細な説明】
【技術分野】
【０００１】
本発明は、スチームトラップに関する。
【背景技術】
【０００２】
特許文献１にはトラップ本体内の流路を切り換えることにより、蒸気配管系から復水のみを自動的に排出するトラップ機能、運転開始時や初期立ち上がり時の様に大量の復水が発生する場合にトラップ部を経由せずに入口から出口へ直通させるバイパス機能、内装のストレーナーの清掃やトラップ部の保守・点検時に流路を強制的に遮断する閉止機能、トラップ部の作動状態を点検するために出口に代えて背圧を受けないテスト用出口に切替えるトラップ点検機能を具有するスチームトラップが開示されている。
【０００３】
上記スチームトラップのトラップ部は、弁箱上部に取付けた流路切替用の回転盤の上端部中心に二次側流路と連通する弁座口を開設し、該弁座口の周囲に凹設した外輪溝に一次側流路との連通口を開設し、弁座口及び外輪溝を含む回転盤の上端部を密封する蓋体に揮発性液体を封入したベローズの上端を固定し、その下端に弁座口を開閉する弁体を突設したサーモスタチックトラップから成る。
上記スチームトラップにあっては、流路切替により上記多機能を具有するにも拘らずトラップ本体をコンパクトに構成でき、蒸気配管系に対する設置スペースを縮小化できると共に蒸気配管系への取付けを容易としている。
【０００４】
しかしながら、スチームトラップは、蒸気配管系に対する取付け位置や環境によっては、トラップ部が復水の温度によって作動するサーモスタチックタイプでは馴染まないこともある。
トラップ部の適正については、現場での配管後の試験段階等で判断されることが多々あるので、この場合には、トラップ本体を配管から外して、特許文献２に開示される様なサーモダイナミックタイプのスチームトラップを再度配管に取り付けねばならず、その作業は蒸気配管系の運転を停止する必要があるなど甚だ面倒で多大な手間を要していた。
【先行技術文献】
【特許文献】
【０００５】
【特許文献１】特許第２６０８５１７号公報
【特許文献２】特公平５−３５８００号公報
【発明の概要】
【発明が解決しようとする課題】
【０００６】
解決しようとする問題点は、蒸気配管系への取付け後においても、その運転を停止することなく、トラップ部のみをサーモスタチックタイプ又はサーモダイナミックタイプのいずれかに簡単に取り替えられる様にしたスチームトラップを提供することを目的としている。
【課題を解決するための手段】
【０００７】
上記課題に鑑み、本発明のスチームトラップは、弁箱の入口に通ずる一次側流路と出口に通ずる二次側流路の夫々を上下に分岐し、両流路の下方分岐口を弁箱下部に設けたバイパス室に連通すると共に、該バイパス室には各下方分岐口を同時に開閉するブラインド弁を弁箱軸心を中心に回転自在に設け、弁箱上部には、上端部中心に弁座口を開設した二次側流路との二次側連通路を穿孔形成すると共に、弁座口の周囲に凹設した外輪溝と一次側流路との一次側連通路を穿孔形成し、ブラインド弁と連動して回転操作される回転盤を設け、該回転盤には、これの上端部を密封する蓋体に揮発性液体を封入したベローズの上端を固定し、下端に弁座口を開閉する弁体を突設して成るサーモスタチックトラップ、又は、回転盤の上端部を弁座ブロックの下端で密封し、該弁座ブロックの水平な上端面の中心に開設した流入口と前記外輪溝とを連通すると共に、前記上端面に流入口を中心に凹設した環状溝と前記弁座口とを連通し、前記上端面に流入口と環状溝を同時に開閉可能なディスク弁体を着離自在に配置すると共に、該ディスク弁体の収容空間をトラップ室として内部に形成した蓋体で弁座ブロック上部を被冠して成るサーモダイナミックトラップのいずれかのトラップ部を相互に取り替え自在に取付けたことを特徴とする。
又、弁箱にテスト用出口を開設すると共に、該テスト用出口に通ずるテスト用連通路を回転盤の二次側連通路に接続可能に穿孔形成し、回転盤には外輪溝と一次側流路とを連通するテスト用流入路を穿孔形成してもよい。
【発明の効果】
【０００８】
要するに本発明は、上記構成から成るので、スチームトラップの配管後において、これを異なるタイプに交換する事態が生じた場合には、回転盤をブラインド弁と共に回転操作し、一次側流路と二次側流路とをバイパス室を介して連通させたバイパス機能状態、又は一次側流路と二次側流路との連通を遮断させた閉止機能状態と成すことにより、弁箱を蒸気配管系に取付けた状態のままでも、蒸気や復水がトラップ部側へ流動することはなく、よって弁箱からトラップ部のみを安全に取り外せることができる。
かかる状態において、トラップ部をサーモスタチックタイプとする場合には、弁体をベローズを介して取付けた蓋体で回転盤の上端部を密封するだけで、上端部の中心に開設された出口に連通可能な弁座口に対し、弁体を開閉自在に配置でき、トラップ部をサーモダイナミックタイプとする場合には、ディスク弁体を配置した上端部が蓋体で被冠された弁座ブロックで回転盤の上端部を密封することにより、回転盤がその上端部中心に出口に連通可能な弁座口を、その周囲に入口に連通可能な外輪溝を設けていても、弁座ブロック上端面には、その中心に入口に連通可能な流入口を、周囲に出口に連通可能な環状溝を設けてサーモスタチックタイプの時とは出入口に繋がる流路を逆転させ、入口とトラップ室との連続的圧力差によって作動するディスク弁体の中心に入口に連通する流入口を配置できるので、単純に回転盤上に両トラップ部を取付けるだけでそのタイプを簡単に取り替えできる。
【０００９】
そして、弁箱にテスト用出口を開設すると共に、該テスト用出口に通ずるテスト用連通路を回転盤の二次側連通路に接続可能に穿孔形成し、回転盤には外輪溝と一次側流路とを連通するテスト用流入路を穿孔形成したので、トラップ部と共に回転盤及びブラインド弁を回転操作することにより、ブラインド弁によりバイパス室を閉鎖させると共に、入口とテスト用出口をトラップ部を介して連通させられ、この様にトラップ部の作動点検を実施するために出口に代えて背圧を受けないテスト用出口に切替えられるので、その点検を容易に行える等その実用的効果甚だ大なるものである。
【図面の簡単な説明】
【００１０】
【図１】本発明に係るスチームトラップにおける弁箱とこれに取付け可能な２種のトラップ部の断面図である。
【図２】同上２種のトラップ部の右側面図と弁箱右側の半断面図である。
【図３】閉止機能時における弁箱の簡略平面図である。
【図４】バイパス機能時における弁箱の簡略平面図である。
【図５】トラップ機能時における弁箱の簡略平面図である。
【図６】トラップ点検機能時における弁箱の簡略平面図である。
【図７（ａ）】サーモスタチックトラップタイプにおける閉止機能時の平面図である。
【図７（ｂ）】同上閉止機能時の断面図である。
【図８（ａ）】同上バイパス機能時の平面図である。
【図８（ｂ）】同上バイパス機能時の断面図である。
【図９（ａ）】同上トラップ機能時の平面図である。
【図９（ｂ）】同上トラップ機能時の断面図である。
【図１０（ａ）】同上トラップ点検機能時の平面図である。
【図１０（ｂ）】同上トラップ点検機能時の断面図である。
【図１１（ａ）】サーモダイナミックタイプにおける閉止機能時の平面図である。
【図１１（ｂ）】同上閉止機能時の断面図である。
【図１２（ａ）】同上バイパス機能時の平面図である。
【図１２（ｂ）】同上バイパス機能時の断面図である。
【図１３（ａ）】同上トラップ機能時の平面図である。
【図１３（ｂ）】同上トラップ機能時の断面図である。
【図１４（ａ）】同上トラップ点検機能時の平面図である。
【図１４（ｂ）】同上トラップ点検機能時の断面図である。
【発明を実施するための形態】
【００１１】
以下本発明の実施の一形態例を図面に基づいて説明する。
本発明に係るスチームトラップ１は、流路切替機能付き弁箱２と、該弁箱２に取付けられるトラップ部３とから主に構成されている。
弁箱２は、その左右両側に入口４及び出口５を開設し、入口４に通ずる一次側流路６と出口５に通ずる二次側流路７とを設けている。
【００１２】
一次側流路６と二次側流路７の夫々は、その途中で上下２方向に向かって垂直に分岐する様に穿孔形成され、弁箱２の上下の夫々に円形状に凹設された上方凹部８及び下方凹部９に連通する様に成している。
よって、上方凹部８の底面には一次側流路６と二次側流路７の各上方分岐口6a、7aが左右対称位置に開設され、下方凹部９の上面には一次側流路６と二次側流路７の各下方分岐口6b、7bと左右対称位置に開設される。
【００１３】
又、弁箱２は、その背部にテスト用出口10を開設すると共に、該テスト用出口10に通ずるテスト用連通路11を上方凹部８へのみ連通する様に穿孔形成している。
上方凹部８の底面に開設されるテスト用連通路11の上方口11ａは、弁箱２の軸心を中心として円周方向に上方分岐口7aを４５度変位（左回りに４５度回転）した位置に配置される（図３〜６参照）。
【００１４】
弁箱２において軸心線上には、上方凹部８から下方凹部９へ渡って軸孔12を貫設している。
そして、上方凹部８にはトラップ部３が取付けられる回転盤13を回転自在に装着すると共に、該回転盤13の底部中心に突設した回転軸13ａを上記軸孔12に挿通している。
下方凹部９へ突出した回転軸13ａ下端には、下方分岐口6b、7bを同時に開閉する様に下方凹部９上面に回転自在に摺接させた円板状のブラインド弁14を軸着し、該ブラインド弁14より下部には上下に重合した一対の皿バネ15、15ａを介してナット16を螺着し、回転操作される回転盤13にブラインド弁14を連動させている。
【００１５】
上記の様に、ブラインド弁14等を収容した下方凹部９は、その内部空間（以下、バイパス室17と称する。）が保持される様に下蓋18にて密封し、回転操作されるブラインド弁14の適所に貫設したバイパス孔14ａ、14ｂと下方分岐口6b、7bを合致させた時に１次側流路６と２次側流路７はバイパス室17を介して連通し、バイパス孔14ａ、14ｂと下方分岐口6b、7bの不一致で一次側流路６と二次側流路７との連通を遮断する。
【００１６】
回転盤13は、その上端部中心に弁座口19を開設し、該弁座口19に連続して二次側流路７及びテスト用連通路11の夫々に水密状に連通可能な二次側連通路20を穿孔形成すると共に、弁座口19の周囲に外輪溝21を凹設している。
外輪溝21には上方分岐口6aを介して一次側流路６と水密状に連通可能な一次側連通路22及びテスト用流入路23を隣接して穿孔形成している。
【００１７】
回転盤13において、一次側連通路22及びテスト用流入路23は垂直に穿設され、一次側連通路22と二次側連通路20の下端口20ａとは回転軸13ａを中心に左右対称に配置され、テスト用流入路23は、回転軸13ａを中心として円周方向に一次側連通路22を−４５度変位（右回りに４５度回転）した位置に配置される（図３〜６参照）。
【００１８】
そして、弁箱２の左右に位置する上方分岐口6a、7aに対し、回転盤13の回転操作で一次側連通路22、二次側連通路20（20ａ）を左右に移動させることにより、一次側連通路22を一次側流路６に、二次側連通路20（20ａ）を二次側流路７に連通させられ（図５参照）、かかる状態から回転盤13を左回りに４５度回転させると、テスト用流入路23を一次側流路６に、二次側連通路20（20ａ）をテスト用連通路11（11ａ）に連通させられる（図６参照）。
【００１９】
尚、上記のいずれの状態にあっても、ブラインド弁14のバイパス孔14ａ、14ｂは、下方分岐口6b、7bに合致しない様に、一方のバイパス孔14ａは一次側連通路22に対し、他方のバイパス孔14ｂは下端口20ａに対し、それぞれ円周方向に４５度ずれる様に回転盤13の二次側連通路20、一次側連通路22、及びテスト用流入路23と、ブラインド弁14のバイパス孔14ａ、14ｂとの位置関係が設定される。
【００２０】
図中において、符号Ｇは弁箱２において回転盤13及びブラインド弁14との流路連通部分又は摺接部分に配設したガスケット、Ｏリング、パッキンなどのシール部材である。
又、弁座口19の周囲には環状突堤24を設け、該環状突堤24に外嵌した円板状のストレーナー25で外輪溝21を被覆している。
そして、回転盤13上には、サーモスタチックトラップ3aとサーモダイナミックトラップ3bのいずれかから成るトラップ部３（3a、3b）を相互に取り替え自在に取付けている。
【００２１】
サーモスタチックトラップ3aは、円形凹状の内部空間をトラップ室26ａとして形成し、回転盤13の上端部を密封するハット形の蓋体26と、トラップ室26ａの天井中央に上端が螺着固定され、アルコールなどの揮発性液体を封入した金属製ベローズ27と、該ベローズ27の下端に弁座口19を開閉する様に突設したプラグ状の弁体28とから成る。
そして、蓋体26と回転盤13とは、夫々に周設したフランジを衝合して両フランジをボルトＢにて締結することにより固定している。
【００２２】
又、蓋体26の頂部には、トラップ部3aと共に回転盤13を回転操作するためにスパナ等の治具が装着される六角柱状のボルト頭26ｂを突設している。
蓋体26のフランジ上面には、△印で表示された副針29ａ、29ｂ…と共に「STOP」、「BY-PASS 」、「TRAP」、「TEST」の各文字を右回りに４５度置きに表示した文字盤29を取付け、該文字盤29の各表示を定位置で指し示す指針（▽印で表示）30を表示した指針板30ａをテスト用出口10の近傍から立設した支持板30ｂに設けている。
【００２３】
サーモダイナミックトラップ3bは、回転盤13の上端部を弁座ブロック31の下端で密封している。
弁座ブロック31は、その上端面を水平に形成すると共に、該上端面の中心に流入口32を開設し、該流入口32に連続する流入路33を回転盤13の外輪溝21に連通接続する様に弁座ブロック31に穿孔形成している。
外輪溝21に連通接続する流入路33の下端は外輪溝21に対応する様に弁座ブロック31の下端面に環状溝状に凹設されている。
【００２４】
又、弁座ブロック31の上端面において、流入口32を中心に環状溝34を凹設し、該環状溝34の底部適所より回転盤13の弁座口19に連通接続する流出路35を穿孔形成している。
流出路35の下端口は、弁座口19に合致させるために、弁座ブロック31の下端面の中心に形成され、その下端口には、弁座口19に水密状に挿嵌可能な円筒状の連結口35ａを突設している。
そして、弁座ブロック31の上端面には、流入口32と環状溝34を同時に開閉可能なディスク弁体36を着離自在に配置すると共に、該ディスク弁体36の収容空間をトラップ室37ａとして内部に形成した蓋体37で弁座ブロック31上部を被冠している。
【００２５】
トラップ室37ａにおいて、蓋体37の内周壁は弁座ブロック31上部の外周壁との間に円環状の空隙を形成して成り、外周壁の下端は下方へ向かうに従い徐々に拡径するテーパー状（以下、テーパー面38と称する。）に形成されている。
このテーパー面38上には、温度感知により拡縮径するバイメタルリング39を配置し、該バイメタルリング39の上端に弁座ブロック31上部を遊挿してディスク弁体36の下端周縁を接離自在に支持する扁平環40を載置している。
【００２６】
そして、蓋体37と回転盤13とは、夫々に周設したフランジ間に弁座ブロック31の一部を介装して両フランジをボルトＢにて締結することにより固定している。
又、蓋体37の頂部にも、トラップ部３と共に回転盤13を回転操作するためにスパナ等の治具が装着される六角柱状のボルト頭37ｂを突設している。
蓋体37のフランジ上面にも、弁箱２に備えた指針板30ａの指針30で各表示が指し示される上記と同じ文字盤29を取付けている。
【００２７】
上記の様に構成されたスチームトラップ１にあっては、いずれかのトラップ部３を弁箱２に固定し、蒸気配管系に取付けられる。
このスチームトラップ１は、回転盤13の回転操作により、内装のストレーナー25の清掃やトラップ部３の保守・点検時に一次側流路６と二次側流路７との連通を強制的に遮断する閉止機能、運転開始時や初期立ち上がり時の様に大量の復水が発生する場合にトラップ室26ａ、37ａを経由せずに入口４からバイパス室17を介して出口５へ直通させて復水を二次側へ強制的に排出するバイパス機能、復水のみを自動的に排出するトラップ機能、トラップ部３（3a、3b）の作動状態を点検するために、二次側を出口５に代えて背圧を受けないテスト用出口10に切替えるトラップ点検機能を具有する。
【００２８】
以下では、サーモダイナミックトラップ3a、3bの夫々を弁箱２に取付けたスチームトラップ１の回転盤13とブラインド弁14の回転操作による弁箱２内の流路切替状態について説明する。
尚、回転盤13（ブラインド弁14）の回転操作は、スパナ等の治具を用いて回転盤13に固定したトラップ部３のボルト頭26ｂ、37ｂを回転させることにより成し得る。
【００２９】
閉止機能状態とするには、文字盤29の文字表示「STOP」の副針29ａを指針30に突き合わせる様にボルト頭26ｂ、37ｂを回転操作する（図7(a)、11(a) 参照）。
これより、図３、7(b)、11(b) に示す様に、回転盤13のテスト用流入路23が上方口11ａを介してテスト連通口11に連通接続されるが、一次側流路６及び二次側流路７はその上方及び下方分岐口6a、6b、7a、7bが回転盤13とブラインド弁14によって閉鎖され、一次側流路６側に蒸気や復水が止められる。
【００３０】
バイパス機能状態とするには、文字盤29の文字表示「BYPASS」の副針29ｂを指針30に突き合わせる様にボルト頭26ｂ、37ｂを上記より左回りに４５度回転操作する（図8(a)、12(a) 参照）。
これより、図４、8(b)、12(b) に示す様に、一次側流路６及び二次側流路７の上方分岐口6a、7aは依然として回転盤13によって閉鎖されているが、下方分岐口6b、7bにブラインド弁14のバイパス孔14ａ、14ｂが合致し、１次側流路６と二次側流路７は、トラップ室26ａ、37ａを経由することなく、バイパス室17を介して連通する。
【００３１】
トラップ機能状態とするには、文字盤29の文字表示「TRAP」の副針29ｃを指針30に突き合わせる様にボルト頭26ｂ、37ｂを上記より更に左回りに４５度回転操作する（図9(a)、13(a) 参照）。
これより、図５、9(b)、13(b) に示す様に、回転盤13の一次側連通路22が一次側流路６の上方分岐口6aに合致すると共に、二次側連通路20の下端口20ａが二次側流路７の上方分岐口7aに合致し、一次側流路６及び二次側流路７の下方分岐口6b、7bがブラインド弁14によって閉鎖される。
【００３２】
そして、サーモスタチックトラップ3aでは、一次側流路６とトラップ室26ａが一次側連通路22及び外輪溝21を介して連通すると共に、二次側流路７とトラップ室26ａが二次側連通路20を介して連通する。
サーモダイナミックトラップ3bでは、一次側流路６とトラップ室37ａが一次側連通路22、外輪溝21及び流入路33を介して連通すると共に、二次側流路７とトラップ室37ａが二次側連通路20、流出路35及び環状溝34を介して連通する。
【００３３】
トラップ点検機能状態とするには、文字盤29の文字表示「TEST」の副針29ｄを指針30に突き合わせる様にボルト頭26ｂ、37ｂを上記より更に左回りに４５度回転操作する（図10(a) 、14(a) 参照）。
これより、図６、10(b) 、14(b) に示す様に、回転盤13のテスト用流入路23が一次側流路６の上方分岐口6aに合致すると共に、二次側連通路20の下端口20ａがテスト用連通路11の上方口11ａに合致し、一次側流路６及び二次側流路７の下方分岐口6b、7bが上記と同様にブラインド弁14によって閉鎖される。
【００３４】
そして、サーモスタチックトラップ3aでは、一次側流路６とトラップ室26ａがテスト用流入路23及び外輪溝21を介して連通すると共に、テスト用連通路11とトラップ室26ａが二次側連通路20を介して連通する。
サーモダイナミックトラップ3bでは、一次側流路６とトラップ室37ａがテスト用流入路23、外輪溝21及び流入路33を介して連通すると共に、テスト用連通路11とトラップ室37ａが二次側連通路20、流出路35及び環状溝34を介して連通する。
【００３５】
サーモスタチックトラップ3aとサーモダイナミックトラップ3bは、上記の様に、トラップ室26ａ、37ａを経由して一次側流路６と二次側流路７又はテスト用連通路11を連通させるトラップ機能状態又はトラップ点検機能状態時に作動するものであり、その作動は従前通りのため、その作動説明については省略する。
【００３６】
スチームトラップ１の蒸気配管系への取付け後にトラップ部３を変更すべき事情が生じた際には、タイプの異なるトラップ部３に取り替える。
この場合、スチームトラップ１を上記の如く閉止機能又はバイパス機能状態にして蒸気や復水がトラップ部３側へ流動しない様にして行う。
【符号の説明】
【００３７】
２    弁箱
３    トラップ部
3a    サーモスタチックトラップ
3b    サーモダイナミックトラップ
４    入口
５    出口
６    一次側流路
6b    下方分岐口
７    二次側流路
7b    下方分岐口
10    テスト用出口
11    テスト用連通路
13    回転盤
14    ブラインド弁
17    バイパス室
19    弁座口
20    二次側連通路
21    外輪溝
22    一次側連通路
23    テスト用流入路
26    蓋体
27    ベローズ
28    弁体
31    弁座ブロック
32    流入口
34    環状溝
36    ディスク弁体
37    蓋体
37ａ  トラップ室
【図１】
2010286081.tif 000003
【図２】
2010286081.tif 000004
【図３】
2010286081.tif 000005
【図４】
2010286081.tif 000006
【図５】
2010286081.tif 000007
【図６】
2010286081.tif 000008
【図７（ａ）】
2010286081.tif 000009
【図７（ｂ）】
2010286081.tif 000010
【図８（ａ）】
2010286081.tif 000011
【図８（ｂ）】
2010286081.tif 000012
【図９（ａ）】
2010286081.tif 000013
【図９（ｂ）】
2010286081.tif 000014
【図１０（ａ）】
2010286081.tif 000015
【図１０（ｂ）】
2010286081.tif 000016
【図１１（ａ）】
2010286081.tif 000017
【図１１（ｂ）】
2010286081.tif 000018
【図１２（ａ）】
2010286081.tif 000019
【図１２（ｂ）】
2010286081.tif 000020
【図１３（ａ）】
2010286081.tif 000021
【図１３（ｂ）】
2010286081.tif 000022
【図１４（ａ）】
2010286081.tif 000023
【図１４（ｂ）】
2010286081.tif 000024